(57)【要約】  アイドラ支持組立体は、コンベヤベルトをその上に支持するよう構成される。アイドラ支持組立体は、第１の端部および第２の端部を有するフレーム、ならびに第１の端部と第２の端部との間でフレームに連結された第１のアイドラローラを備える。第１のアイドラローラは、第１のローラ軸を中心に回転するよう構成される。アイドラ支持組立体はまた、第１の端部と第２の端部との間でフレームに連結された、第２のアイドラローラを備える。第２のアイドラローラは、第２のローラ軸を中心に回転するよう構成される。アイドラ支持組立体はさらに、第１の枢動軸を中心にして、フレームの第１の端部に枢動可能に連結された第１の基部、および複数の位置で、フレームの第２の端部に選択的に連結された調整可能な支持体を備える。複数の位置のそれぞれが、フレームが第１の基部に対して延在する角度を画定する。【選択図】図１
2019520288.tif 000002
【特許請求の範囲】
【請求項１】
上にコンベヤベルトを支持するよう構成され、前記コンベヤベルトは第１の方向に材料を移動させるように動作可能な、アイドラ支持組立体であって、前記アイドラ支持組立体は、
第１の端部と第２の端部とを有するフレームと、
前記第１の端部と前記第２の端部との間で前記フレームに連結され、第１のローラ軸を中心に回転するよう構成される第１のアイドラローラと、
前記第１の端部と前記第２の端部との間で前記フレームに連結され、第２のローラ軸を中心に回転するよう構成される第２のアイドラローラであって、前記第１のローラ軸および前記第２のローラ軸は、互いに対してある傾斜角で配向される、第２のアイドラローラと、
第１の枢動軸を中心にして、前記フレームの前記第１の端部と枢動可能に連結される第１の基部であって、前記第１の枢動軸は、前記コンベヤベルトの前記第１の方向とほぼ平行である、第１の基部と、
前記フレームの前記第２の端部と、複数の位置で選択的に連結される、調整可能な支持体であって、前記複数の位置のそれぞれが、前記フレームが前記第１の基部に対して延在する角度を画定する、調整可能な支持体と
を備える、アイドラ支持組立体。
【請求項２】
前記複数の位置のそれぞれが、前記第１の基部に対する、前記フレームの前記第２の端部の複数の高さを画定する、請求項１に記載のアイドラ支持組立体。
【請求項３】
前記調整可能な支持体は、第２の基部と連結される支持部材を備える、請求項１に記載のアイドラ支持組立体。
【請求項４】
前記支持部材は、前記第２の基部と枢動可能に連結される、請求項３に記載のアイドラ支持組立体。
【請求項５】
前記支持部材は、複数の穴部を有し、前記複数の穴部のそれぞれが、前記複数の位置のうちの１箇所に対応する、請求項３に記載のアイドラ支持組立体。
【請求項６】
前記フレームは、前記複数の穴部のうちの１つを貫いて受容され、前記フレームの前記第２の端部に係合する第２のピンによって、前記複数の位置のうちの１箇所で、前記支持部材に連結される、請求項５に記載のアイドラ支持組立体。
【請求項７】
前記フレームの前記第１の端部は、操作者による前記アイドラ支持組立体の輸送を可能にするよう構成される第１のハンドルを備える、請求項１に記載のアイドラ支持組立体。
【請求項８】
前記フレームの前記第２の端部は、前記操作者による前記アイドラ支持組立体の輸送を可能にするよう構成される第２のハンドルを備える、請求項７に記載のアイドラ支持組立体。
【請求項９】
前記調整可能な支持体が、前記複数の位置で前記フレームの前記第２の端部に選択的に連結されるので、前記フレームに対する前記第１のローラ軸および前記第２のローラ軸の向きは固定されたままである、請求項１に記載のアイドラ支持組立体。
【請求項１０】
湾曲部の周りで、上にコンベヤベルトを支持するよう構成されるアイドラ支持システムであって、前記アイドラ支持システムは、
第１の端部と第２の端部とを有する第１のフレームと、
前記第１のフレームと連結され、第１のローラ軸を中心に回転するよう構成される第１のアイドラローラと
を備える第１のアイドラ支持組立体であって、前記第１のフレームは、前記第１のフレームの前記第１の端部で、第１の枢動軸を中心に枢動するよう構成される、第１のアイドラ支持組立体と、
第１の端部と第２の端部とを有する第２のフレームと、
前記第２のフレームと連結され、第２のローラ軸を中心に回転するよう構成される第２のアイドラローラと
を備える第２のアイドラ支持組立体であって、前記第２のフレームは、前記第２のフレームの前記第１の端部で、第２の枢動軸を中心に枢動するよう構成される、第２のアイドラ支持組立体と
を備え、前記第１のアイドラ支持組立体は、前記第２のアイドラ支持組立体とは無関係に前記第１の枢動軸を中心に枢動し、前記コンベヤベルトを前記湾曲部の周りで案内するよう構成される、アイドラ支持システム。
【請求項１１】
前記第１のフレームの前記第１の端部は、前記第１の枢動軸を中心にして、第１の基部と枢動可能に連結され、前記第２のフレームの前記第１の端部は、前記第２の枢動軸を中心にして、第２の基部と枢動可能に連結される、請求項１０に記載のアイドラ支持システム。
【請求項１２】
前記第１のアイドラ支持組立体は、前記第１の枢動軸を中心にして、前記第１の基部に対する前記第１のフレームによって画定される第１の角度で枢動可能であり、前記第２のアイドラ支持組立体は、前記第２の枢動軸を中心にして、前記第２の基部に対する前記第２のフレームによって画定される第２の角度で枢動可能であり、前記コンベヤベルトを前記湾曲部の周りで案内するために、前記第１の角度は前記第２の角度より大きい、請求項１１に記載のアイドラ支持システム。
【請求項１３】
前記第１のフレームの前記第２の端部は、第１の調整可能な支持体と選択的に連結され、前記第２のフレームの前記第２の端部は、第２の調整可能な支持体と選択的に連結され、前記第１の調整可能な支持体または前記第２の調整可能な支持体の調整によって、対応する前記第１の角度または前記第２の角度を変更する、請求項１２に記載のアイドラ支持システム。
【請求項１４】
前記第１の調整可能な支持体および前記第２の調整可能な支持体のそれぞれが、第３の基部に連結される支持部材を備え、それぞれの前記支持部材が複数の穴部を有し、前記第１の角度および前記第２の角度が、それぞれの前記支持部材の前記複数の穴部のうちの１つに対応する、請求項１３に記載のアイドラ支持システム。
【請求項１５】
前記第１の調整可能な支持体および前記第２の調整可能な支持体の、それぞれの前記支持部材は、対応する前記第３の基部に、枢動可能に連結される、請求項１４に記載のアイドラ支持システム。
【請求項１６】
前記第１のフレームは、前記複数の穴部のうちの１つを貫いて受容され、前記第１のフレームの前記第２の端部に係合する第１のピンによって、前記第１の調整可能な支持体の前記支持部材に連結され、前記第２のフレームは、前記複数の穴部のうちの１つを貫いて受容され、前記第２のフレームの前記第２の端部に係合する第２のピンによって、前記第２の調整可能な支持体の前記支持部材に連結される、請求項１４に記載のアイドラ支持システム。
【請求項１７】
前記第１のフレームの前記第１の端部、および前記第２のフレームの前記第１の端部はそれぞれ、操作者による前記第１のアイドラ支持組立体および前記第２のアイドラ支持組立体の輸送を可能にするよう構成される、第１のハンドルを備える、請求項１０に記載のアイドラ支持組立体。
【請求項１８】
前記第１のフレームの前記第２の端部、および前記第２のフレームの前記第２の端部はそれぞれ、前記操作者による前記第１のアイドラ支持組立体および前記第２のアイドラ支持組立体の輸送を可能にするよう構成される、第２のハンドルを備える、請求項１７に記載のアイドラ支持組立体。
【請求項１９】
前記第１のアイドラ支持組立体の前記第２の端部、および前記第２のアイドラ支持組立体の前記第２の端部は、前記湾曲部の内側に配置される、請求項１０に記載のアイドラ支持組立体。
【請求項２０】
コンベヤベルトを、湾曲部の周りで案内するように、上に前記コンベヤベルトを支持するよう構成されたアイドラ支持組立体を調整する方法であって、
フレームの第１の端部を、枢動軸を中心にして、基部と枢動可能に連結するステップと、
第１のローラ軸を中心に回転するよう構成された、第１のアイドラローラを前記フレームに支持するステップと、
第２のローラ軸を中心に回転するよう構成された、第２のアイドラローラを前記フレームに支持するステップであって、前記第１のローラ軸および前記第２のローラ軸は、互いに対してある傾斜角で配向されるステップと、
前記基部に対する前記フレームの第２の端部の高さを調整し、前記フレームと前記基部との間の角度を調整して、前記コンベヤベルトを前記湾曲部の周りに案内するステップと
を含む方法。
【請求項２１】
前記フレームの前記第２の端部の前記高さを調整するステップは、ピンによって、前記フレームの前記第２の端部を、調整可能な支持体の複数の穴部のうちの１つに選択的に連結するステップを含む、請求項２０に記載の方法。
【請求項２２】
前記フレームの前記第２の端部を、前記湾曲部の内側に配置するステップをさらに含む、請求項２１に記載の方法。
【請求項２３】
材料をある方向に移動させるように動作可能であり、幅を画定するコンベヤベルトを備える、アイドラ支持組立体であって、前記アイドラ支持組立体は、
第１の端部と第２の端部とを有し、前記コンベヤベルトの前記幅が、前記第１の端部と前記第２の端部との間にあるように、前記コンベヤベルトを支持するよう構成されるフレームと、
枢動軸を中心にして、前記フレームの前記第１の端部に枢動可能に連結された第１の基部と、
前記フレームの前記第２の端部と、複数の位置で選択的に連結される、調整可能な支持体であって、前記複数の位置のそれぞれが、前記フレームが前記第１の基部に対して延在する角度を画定する、調整可能な支持体と
を備え、前記フレームは、前記調整可能な支持体の前記複数の位置のそれぞれで、前記コンベヤベルトを支持するよう構成される、アイドラ支持組立体。
【請求項２４】
前記枢動軸は、前記コンベヤベルトの前記移動方向とほぼ平行である、請求項２３に記載のアイドラ支持組立体。
【請求項２５】
前記第１の端部と前記第２の端部との間で前記フレームに連結され、前記コンベヤベルトを支持するために、ローラ軸を中心に回転するよう構成されるアイドラローラをさらに備える、請求項２３に記載のアイドラ支持組立体。
【発明の詳細な説明】
【技術分野】
【０００１】
[0001]本発明は、コンベヤのためのアイドラローラに関し、詳細には、調整可能なアイドラ支持組立体（ｉｄｌｅｒ  ｓｕｐｐｏｒｔ  ａｓｓｅｍｂｌｙ）に関する。
【背景技術】
【０００２】
[0002]コンベヤは、大量の物質を輸送するために、鉱業で頻繁に使用される。コンベヤは通常、複数のアイドラローラ上に支持され、駆動システムによって進められるコンベヤベルトを含む。
【発明の概要】
【課題を解決するための手段】
【０００３】
[0003]一態様では、アイドラ支持組立体は、コンベヤベルトをその上に支持するよう構成される。コンベヤベルトは、材料を第１の方向に移動させるように動作可能である。アイドラ支持組立体は、第１の端部および第２の端部を有するフレーム、ならびに第１の端部と第２の端部との間でフレームに連結された第１のアイドラローラを備える。第１のアイドラローラは、第１のローラ軸を中心に回転するよう構成される。アイドラ支持組立体はまた、第１の端部と第２の端部との間でフレームに連結された、第２のアイドラローラを備える。第２のアイドラローラは、第２のローラ軸を中心に回転するよう構成される。第１および第２のローラ軸は、互いに対してある傾斜角で配向されている。アイドラ支持組立体はさらに、第１の枢動軸を中心にして、フレームの第１の端部に枢動可能に連結された第１の基部を備える。第１の枢動軸は、コンベヤベルトの第１の方向とほぼ平行である。アイドラ支持組立体はまた、複数の位置で、フレームの第２の端部に選択的に連結される、調整可能な支持体を備える。複数の位置のそれぞれが、フレームが第１の基部に対して延在する角度を画定する。
【０００４】
[0004]別の態様では、アイドラ支持システムは、湾曲部の周りで、その上にコンベヤベルトを支持するよう構成される。アイドラ支持システムは、第１の端部および第２の端部を有する第１のフレーム、ならびに第１のフレームに連結された第１のアイドラローラを具備する、第１のアイドラ支持組立体を備える。第１のアイドラローラは、第１のローラ軸を中心に回転するよう構成される。第１のフレームは、第１のフレームの第１の端部で、第１の枢動軸を中心に枢動するよう構成される。アイドラ支持システムはまた、第１の端部および第２の端部を有する第２のフレーム、ならびに第２のフレームに連結された第２のアイドラローラを具備する、第２のアイドラ支持組立体を備える。第２のアイドラローラは、第２のローラ軸を中心に回転するよう構成される。第２のフレームは、第２のフレームの第１の端部で、第２の枢動軸を中心に枢動するよう構成される。第１のアイドラ支持組立体は、第２のアイドラ支持組立体とは無関係に第１の枢動軸を中心に枢動し、コンベヤベルトを湾曲部の周りで案内するよう構成される。
【０００５】
[0005]さらに別の態様では、コンベヤベルトを湾曲部の周りで案内するように、アイドラ支持組立体を調整する方法。アイドラ支持組立体は、コンベヤベルトをその上に支持するよう構成される。この方法は、フレームの第１の端部を、枢動軸を中心にして枢動可能に基部と連結するステップと、第１のアイドラローラを、フレームに支持するステップとを含む。第１のアイドラローラは、第１のローラ軸を中心に回転するよう構成される。この方法はまた、第２のアイドラローラを、フレームに支持するステップを含む。第２のアイドラローラは、第２のローラ軸を中心に回転するよう構成される。第１および第２の軸は、互いに対してある傾斜角で配向されている。この方法はさらに、基部に対するフレームの第２の端部の高さを調整し、フレームと基部との間の角度を調整して、コンベヤベルトを湾曲部の周りに案内するステップを含む。
【０００６】
[0006]さらに別の態様では、アイドラ支持組立体は、材料をある方向に移動させるように動作可能なコンベヤベルトを備える。コンベヤベルトは、幅を画定する。アイドラ支持組立体は、第１の端部と第２の端部とを有するフレームを備える。フレームは、コンベヤベルトの幅が、第１端部と第２端部との間にあるように、コンベヤベルトを支持するよう構成される。アイドラ支持組立体はまた、枢動軸を中心にして、フレームの第１の端部に枢動可能に連結された第１の基部、および複数の位置で、フレームの第２の端部に選択的に連結された調整可能な支持体を備える。複数の位置のそれぞれが、フレームが第１の基部に対して延在する角度を画定する。フレームは、調整可能な支持体の複数の位置のそれぞれで、コンベヤベルトを支持するよう構成される。
【０００７】
[0007]本発明の他の態様は、詳細な説明および添付図面を考慮することによって、明らかとなろう。
【図面の簡単な説明】
【０００８】
【図１】[0008]アイドラ支持システムの、調整可能なアイドラ支持組立体上に支持された、コンベヤベルトの斜視図である。
【図２】[0009]第１の位置における、図１の調整可能なアイドラ支持組立体の斜視図である。
【図３】[0010]図２の調整可能なアイドラ支持組立体の詳細図である。
【図４】[0011]第２の位置における、図１の調整可能なアイドラ支持組立体の斜視図である。
【図５】[0012]図４の調整可能なアイドラ支持組立体の詳細図である。
【図６Ａ】[0013]第１の位置における、図２の調整可能なアイドラ支持組立体の正面図である。
【図６Ｂ】[0014]第２の位置における、図４の調整可能なアイドラ支持組立体の正面図である。
【図６Ｃ】[0015]第３の位置における、図１の調整可能なアイドラ支持組立体の正面図である。
【図７】[0016]複数の調整可能なアイドラ支持組立体を備える、アイドラ支持システム上で支持される、図１のコンベヤベルトの斜視図である。
【発明を実施するための形態】
【０００９】
[0017]本発明の任意の実施形態が詳細説明される前に、本発明は、その適用において、以下の説明に示される、または以下の図面で示される、構造の詳細および構成要素の配置に限定されないことを理解されたい。本発明は他の実施形態が可能であり、様々なやり方で実施または実行され得る。また、本明細書で使用されている表現および用語は、説明を目的としており、限定されると見なされるべきではないことを理解されたい。本明細書における「含む」、「備える」、または「有する」およびそれらの変形の使用は、その後に列挙される項目およびその均等物、ならびに追加の項目を包含することを意味する。「取り付けられた」、「接続された」、および「連結された」という用語は、広く使用されており、直接的および間接的な取り付け、接続および連結の両方を包含する。さらに、「接続された」および「連結された」は、物理的もしくは機械的な接続または連結に限定されず、直接的または間接的にかかわらず、電気的な接続または連結を含めることができる。
【００１０】
[0018]図１は、支持面２０の上方で、調整可能なアイドラ支持組立体１５上に支持されたコンベヤ１０を示す。図示のコンベヤ１０は、材料（たとえば、石炭、砂利、粘土など）を所望の場所に移動または輸送するための、調整可能なアイドラ支持組立体１５に対して移動可能な、連続コンベヤベルトである。一実施形態では、コンベヤ１０および調整可能なアイドラ支持組立体１５が、採掘作業に使用され得る。支持面２０は、１つの連続した平坦な支持面からなってもよいし、あるいは２つの別々の同一平面上にない支持面からなってもよい。
【００１１】
[0019]図２を参照して、図示の調整可能なアイドラ支持組立体１５は、フレーム２５の第１の端部３５と第２の端部４０との間に延出する長手方向軸３０を画定するフレーム２５を備える。図示の実施形態では、コンベヤベルト１０の幅４２は、第１の端部３５と第２の端部４０との間に位置し、コンベヤベルト１０は長手方向軸３０に対してほぼ垂直な方向４４に移動するよう構成される。複数のアイドラローラ４５が、第１の端部３５と第２の端部４０との間で、フレーム２５上で支持されている。具体的には、第１のアイドラローラ４５ａは、第１の支持部材５５に連結された第１の端部５０ａと、第２の支持部材６５に連結された第２の端部６０ａとを有する。第１および第２の支持部材５５、６５は、長手方向軸３０に対してほぼ垂直に延在し、フレーム２５に固定されている。図示された第１のアイドラローラ４５ａは、第１の傾斜角７５で長手方向軸３０に対して配向された第１のローラ軸７０を中心に、フレーム２５に対して回転可能である（図６Ａ）。一実施形態（図示せず）では、第１の傾斜角７５は、第１の支持部材５５の高さを調整することによって、調整可能であり得る。
【００１２】
[0020]引き続き図２を参照して、第２のアイドラローラ４５ｂは、第２の支持部材６５に連結された第１の端部５０ｂと、第３の支持部材８０に連結された第２の端部６０ｂとを有する。第３の支持部材８０は、長手方向軸３０に対してほぼ垂直に延在し、フレーム２５に固定されている。図示された第２のアイドラローラ４５ｂは、長手方向軸３０に対して平行に配向された第２のローラ軸８５を中心に、フレーム２５に対して回転可能である（図６Ａ）。
【００１３】
[0021]第３のアイドラローラ４５ｃは、第３の支持部材８０に連結された第１の端部５０ｃと、第４の支持部材９０に連結された第２の端部６０ｃとを有する。第４の支持部材９０は、長手方向軸３０に対してほぼ垂直に延在し、フレーム２５に固定されている。図示された第３のアイドラローラ４５ｃは、第２の傾斜角１００で長手方向軸３０に対して配向された第３のローラ軸９５を中心に、フレーム２５に対して回転可能である（図６Ａ）。一実施形態では、第２の傾斜角１００は、第４の支持部材９０の高さを調整することによって、調整可能であり得る。図示の実施形態において、第２の傾斜角１００は、第１の傾斜角７５に等しく、かつ第１の傾斜角７５に対して、向かい合っている。別の実施形態において、第２の傾斜角１００は、第１の傾斜角７５に対して、異なった角度であり得る。図示された実施形態では、ローラ軸７０、８５、９５は、長手方向軸３０とほぼ平坦である（すなわち、ローラ軸７０、８５、および９５は、長手方向軸３０と共通の平面内にある）。
【００１４】
[0022]図１に戻って参照すると、フレーム２５の第１の端部３５は、アイドラ支持組立体１５の輸送を可能にするよう構成された、第１の開口部１１０を有する第１のハンドル１０５を備える。第１のハンドル１０５は、第１のピン１２５によって、第１の枢動軸１２０を中心にして、第１の基部１１５に枢動可能に取り付けられている。図示された第１の枢動軸１２０は、長手方向軸３０および幅４２に対して、ほぼ垂直である（たとえば、第１の枢動軸１２０は、コンベヤベルト１０の移動方向４４と、ほぼ平行である）。図示の第１の基部１１５は、留め具１３０によって支持面２０に固定されるよう構成される。他の実施形態では、フレーム２５の第１の端部３５が、第１の枢動軸１２０によってほぼ画定されるように、第１のハンドル１０５は省略され得る。
【００１５】
[0023]図２および図３を参照して、フレーム２５の第２の端部４０は、アイドラ支持組立体１５の輸送をまた可能にするよう構成された、第２の開口部１４０を有する第２のハンドル１３５を備える。第２のハンドル１３５は、第２のピン１６５によって、第２の枢動軸１６０を中心にして、支持部材１５５に枢動可能に連結された第２の基部１５０を備える、調整可能な支持体１４５に、選択的に連結される。一実施形態（図示せず）では、フレーム２５の第１および第２の端部３５、４０のそれぞれは、別々の調整可能な支持体１４５に連結される。図示の第２の基部１５０は、第１の基部１１５と同様に（図１）、留め具１３０によって支持面２０に固定されるよう構成される。他の実施形態では、第１および第２の基部１１５、１５０は、１つの一体的な基部であってもよい。さらなる実施形態では、フレーム２５の第２の端部４０が、第２のピン１６５を受容する穴部によってほぼ画定されるように、第２のハンドル１３５は省略され得る。
【００１６】
[0024]図示の支持部材１５５は、第２のハンドル１３５の第２の開口部１４０内に移動可能に配置され、複数の穴部１７０を有する。図示の実施形態では、支持部材１５５は、第１のフランジ１７５および第２のフランジ１８０を画定する、Ｃ字形の断面を有する部材である。支持部材１５５は、フランジ１７５、１８０上に等間隔に配置され、対向するフランジ１７５、１８０上に配置された穴部に対応する、複数の穴部１７０を有する。たとえば、図３および図５を参照して、穴部１７０ａ〜１７０ｆは、第１のフランジ１７５上に配置され、第２のフランジ１８０上に配置された穴部１７０ｇ〜１７０ｌと、対応して整列している。第２のハンドル１３５は、穴部１７０ａ〜１７０ｅ、１７０ｇ〜１７０ｋを貫いて選択的に受容される第３のピン１８５によって、支持部材１５５に連結される（図５）。第２のハンドル１３５もまた、穴部１７０ｆ、１７０ｌを貫いて選択的に受容される第２のピン１６５によって、支持部材１５５に連結される（図３）。別の実施形態では、穴部１７０ａ〜１７０ｆは、第１の穴部１７０ａから第６の穴部１７０ｆまで延在する第１のスロットと置き換えられてもよく、また穴部１７０ｇ〜１７０ｌは、第７の穴部１７０ｇから第１２の穴部１７０ｌまで延在する第２のスロットと置き換えられてもよい。この実施形態では、留め具（たとえば、蝶ネジ）が、支持部材１５５に対して複数の位置に、第２のハンドル１３５を、選択的に固定することができる。言い換えれば、第２のハンドル１３５は、第１および第２のスロットのうちの少なくとも一方に係合する留め具によって、支持部材１５５に対して連続的に調整可能である。
【００１７】
[0025]一実施形態（図示せず）では、第３のピン１８５は、穴部１７０ａ〜１７０ｅ、１７０ｇ〜１７０ｋを貫いて選択的に受容される、付勢された戻り止め機構と置き換えられてもよい。別の実施形態（図示せず）では、支持部材１５５が、細長い湾曲した（たとえば、第２の基部１５０から第１の基部１１５に向かって湾曲する）部材を画定する状態で、支持部材１５５を第２の基部１５０に固定され得る。別の実施形態（図示せず）では、調整可能な支持体１４５は、フレーム２５の第２の端部４０を第２の基部１５０に連結する、嵌まり込む部材（ｔｅｌｅｓｃｏｐｉｎｇ  ｍｅｍｂｅｒｓ）を備えることができる。別の実施形態（図示せず）では、支持部材１５５が支持面２０と直接係合するように、第２の基部１５０は省略され得る。
【００１８】
[0026]図６Ａ〜図６Ｃを参照して、調整可能なアイドラ支持組立体１５は、支持面２０に対して様々な位置に配置されている。図６Ａは、第２のピン１６５が、第６および第１２の穴部１７０ｆ、１７０ｌを貫いて、第２のハンドル１３５を調整可能な支持体１４５に連結させている状態での、調整可能なアイドラ支持組立体１５の第１の位置を示す。調整可能なアイドラ支持組立体１５の第１の位置において、フレーム２５の長手方向軸３０は、支持面２０と平行である（たとえば、長手方向軸３０は、第１および第２の基部１１５、１５０に対して、第１の枢動軸１２０を中心として０°の方向を向いている）。
【００１９】
[0027]図６Ｂは、第３のピン１８５が、第３および第９の穴部１７０ｃ、１７０ｉを貫いて、第２のハンドル１３５を調整可能な支持体１４５に連結させている状態での、調整可能なアイドラ支持組立体１５の第２の位置を示す。調整可能なアイドラ支持組立体１５の第２の位置において、フレーム２５の長手方向軸３０が、第１および第２の基部１１５、１５０に対して、第１の枢動軸１２０を中心に第１の枢動角１９０で配向され、その結果フレーム２５の第２の端部４０は、第１および第２の基部１１５、１５０の上方の、第１の高さ１９５に配置される。調整可能なアイドラ支持組立体１５が、第１の位置（図６Ａ）から第２の位置（図６Ｂ）へ移動するとき、ローラ軸７０、８５、９５は、長手方向軸３０に対して固定されたままである。
【００２０】
[0028]図６Ｃは、第３のピン１８５が、第１および第７の穴部１７０ａ、１７０ｇを貫いて、第２のハンドル１３５を調整可能な支持体１４５に連結させている状態での、調整可能なアイドラ支持組立体１５の第３の位置を示す。調整可能なアイドラ支持組立体１５の第３の位置において、フレーム２５の長手方向軸３０が、第１および第２の基部１１５、１５０に対して、第１の枢動軸１２０を中心に第２の枢動角２００で配向され、その結果フレーム２５の第２の端部４０は、第１および第２の基部１１５、１５０の上方の、第２の高さ２０５に配置される。調整可能なアイドラ支持組立体１５が、第２の位置（図６Ｂ）から第３の位置（図６Ｃ）へ移動するとき、ローラ軸７０、８５、９５は、長手方向軸３０に対して固定されたままである。
【００２１】
[0029]図示の実施形態では、調整可能なアイドラ支持組立体１５は、６対の穴部１７０に対応する６箇所の相異なる位置（たとえば、第１および第２の基部１１５、１５０に対する、フレーム２５の第２の端部４０の６つの相異なる高さに対応する、第１および第２の基部１１５、１５０に対する、フレーム２５の長手方向軸３０の６つの相異なる角度）に、選択的に配置される。他の実施形態では、支持部材１５５は、調整可能なアイドラ支持組立体１５を、６箇所より多い、または６箇所より少ない、相異なる位置に選択的に配置可能にする、６対より多い、または６対より少ない穴部１７０を有することができる。
【００２２】
[0030]図７を参照して、アイドラ支持システム２１０は、コンベヤベルト１０が、２つの直線部分２２０と２２５との間に配置される湾曲部分２１５の周りに案内されるように、互いに対して配置された、複数の調整可能なアイドラ支持組立体１５を備える。具体的には、各直線部分２２０、２２５内で、調整可能なアイドラ支持組立体１５のそれぞれは、図１〜図３および図６Ａに示すように、第１の位置に配向されている。さらに、直線部分２２０、２２５内の調整可能なアイドラ支持組立体１５の各長手方向軸３０は、互いに平行に配向されている。したがってコンベヤベルト１０は、調整可能なアイドラ支持組立体１５によって直線部分２２０、２２５を通って直線的に案内される。
【００２３】
[0031]コンベヤベルト１０を、湾曲部分２１５を通って湾曲させるために、調整可能なアイドラ支持組立体１５は、６箇所の異なる位置のうちの１箇所で配向される。たとえば、図６Ｃに示されるように、第３の位置に配向された調整可能なアイドラ支持組立体１５は、湾曲部分２１５の中点（たとえば、頂点）２３０の近くに配置される。代替の実施形態では、第３の位置に配向された２つ以上の調整可能なアイドラ支持組立体１５が、湾曲部分２１５の中点２３０の近くに配置される。次いで、各調整可能なアイドラ支持組立体１５が、頂点２３０から直線部分２２０、２２５に近づくにつれて、調整可能なアイドラ支持組立体１５は、第３の位置（図６Ｃ）から第１の部分（図６Ａ）へ徐々に移る。ベルト１０は、ベルト１０の材料特性のために、直線的に延びる（すなわち、真っ直ぐなまま留まる）、弾性傾向を示す。湾曲部分２１５内の調整可能なアイドラ支持組立体１５の傾斜は、ベルト１０が真っ直ぐなまま留まる弾性傾向に抗して作用する力を与えることによって、ベルト１０を湾曲させる、または曲げる。言い換えれば、調整可能なアイドラ支持組立体１５は、ベルト１０の湾曲を維持するために傾けられている（たとえば、高くされている）。ベルト１０の湾曲部分２１５を支持する調整可能なアイドラ支持組立体１５の第２の端部４０は、湾曲部の内側に配置されている（すなわち、第２の端部４０は、第１の端部３５より、そこから湾曲半径が延出する中心点の近くに配置されている）。言い換えれば、第２の端部４０は、湾曲部分２１５の内側、すなわち凹側２３５に配置され、第１の端部３５は、湾曲部分２１５の外側、すなわち凸側２４０に配置される。
【００２４】
[0032]引き続き図７を参照して、湾曲部分２１５内に配置された、調整可能なアイドラ支持組立体１５の各長手方向軸３０は（たとえば、コンベヤベルト１０の移動方向４４と平行な方向に）、互いに対してある角度で配向されている。したがってコンベヤベルト１０は概ね、調整可能なアイドラ支持組立体１５の、それぞれの角度によって画定される角度で、湾曲部分２１５を通って案内される。言い換えれば、調整可能なアイドラ支持組立体１５は概ね、コンベヤベルト１０がその部分２１５、２２０、２２５を通って移動するときに、調整可能なアイドラ支持組立体１５のそれぞれの角度でコンベヤベルト１０を支持する。他の実施形態では、湾曲部分２１５を特定の必要性（たとえば、１つまたは複数の湾曲部分２１５の周りに、コンベヤベルト１０を案内する）に適合させるために、複数の調整可能なアイドラ支持組立体１５が、様々な位置の任意の組合せで配向され得る。
【００２５】
[0033]本発明が、特定の好ましい実施形態を参照して詳細に説明されてきたが、記載の本発明の１つまたは複数の独立した態様の範囲および趣旨の範囲内で、変形形態および修正形態が存在する。本発明の様々な特徴および利点が、以下の特許請求の範囲に示される。
【図１】
2019520288.tif 000003
【図２】
2019520288.tif 000004
【図３】
2019520288.tif 000005
【図４】
2019520288.tif 000006
【図５】
2019520288.tif 000007
【図６Ａ】
2019520288.tif 000008
【図６Ｂ】
2019520288.tif 000009
【図６Ｃ】
2019520288.tif 000010
【図７】
2019520288.tif 000011
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
上にコンベヤベルトを支持するよう構成され、前記コンベヤベルトは第１の方向に材料を移動させるように動作可能な、アイドラ支持組立体であって、前記アイドラ支持組立体は、
第１の端部と第２の端部とを有するフレームと、
前記第１の端部と前記第２の端部との間で前記フレームに連結され、第１のローラ軸を中心に回転するよう構成される第１のアイドラローラと、
前記第１の端部と前記第２の端部との間で前記フレームに連結され、第２のローラ軸を中心に回転するよう構成される第２のアイドラローラであって、前記第１のローラ軸および前記第２のローラ軸は、互いに対してある傾斜角で配向される、第２のアイドラローラと、
第１の枢動軸を画定する第１の固定された基部であって、前記第１の枢動軸を中心にして、前記フレームの前記第１の端部が枢動可能に前記第１の固定された基部と連結され、前記第１の枢動軸は、前記コンベヤベルトの前記第１の方向とほぼ平行である、第１の固定された基部と、
前記フレームの前記第２の端部と、複数の位置で選択的に連結される、調整可能な支持体であって、前記複数の位置のそれぞれが、前記フレームが前記第１の固定された基部に対して延在する角度を画定する、調整可能な支持体と
を備える、アイドラ支持組立体。
【請求項２】
前記複数の位置のそれぞれが、前記第１の固定された基部に対する、前記フレームの前記第２の端部の複数の高さを画定する、請求項１に記載のアイドラ支持組立体。
【請求項３】
前記調整可能な支持体は、第２の基部と連結される支持部材を備える、請求項１に記載のアイドラ支持組立体。
【請求項４】
前記支持部材は、前記第２の基部と枢動可能に連結される、請求項３に記載のアイドラ支持組立体。
【請求項５】
前記支持部材は、複数の穴部を有し、前記複数の穴部のそれぞれが、前記複数の位置のうちの１箇所に対応する、請求項３に記載のアイドラ支持組立体。
【請求項６】
前記フレームは、前記複数の穴部のうちの１つを貫いて受容され、前記フレームの前記第２の端部に係合する第２のピンによって、前記複数の位置のうちの１箇所で、前記支持部材に連結される、請求項５に記載のアイドラ支持組立体。
【請求項７】
前記フレームの前記第１の端部は、操作者による前記アイドラ支持組立体の輸送を可能にするよう構成される第１のハンドルを備える、請求項１に記載のアイドラ支持組立体。
【請求項８】
前記フレームの前記第２の端部は、前記操作者による前記アイドラ支持組立体の輸送を可能にするよう構成される第２のハンドルを備える、請求項７に記載のアイドラ支持組立体。
【請求項９】
前記調整可能な支持体が、前記複数の位置で前記フレームの前記第２の端部に選択的に連結されるので、前記フレームに対する前記第１のローラ軸および前記第２のローラ軸の向きは固定されたままである、請求項１に記載のアイドラ支持組立体。
【請求項１０】
湾曲部の周りで、上にコンベヤベルトを支持するよう構成されるアイドラ支持システムであって、前記アイドラ支持システムは、
第１の端部と第２の端部とを有する第１のフレームと、
前記第１のフレームと連結され、第１のローラ軸を中心に回転するよう構成される第１のアイドラローラと
を備える第１のアイドラ支持組立体であって、前記第１のフレームの前記第１の端部は、第１の固定された基部によって画定される第１の枢動軸を中心に枢動するよう構成される、第１のアイドラ支持組立体と、
第１の端部と第２の端部とを有する第２のフレームと、
前記第２のフレームと連結され、第２のローラ軸を中心に回転するよう構成される第２のアイドラローラと
を備える第２のアイドラ支持組立体であって、前記第２のフレームの前記第１の端部は、第２の固定された基部によって画定される第２の枢動軸を中心に枢動するよう構成される、第２のアイドラ支持組立体と
を備え、前記第１のアイドラ支持組立体は、前記第２のアイドラ支持組立体とは無関係に前記第１の枢動軸を中心に枢動し、前記コンベヤベルトを前記湾曲部の周りで案内するよう構成される、アイドラ支持システム。
【請求項１１】
前記第１のアイドラ支持組立体は、前記第１の枢動軸を中心にして、前記第１の固定された基部に対する前記第１のフレームによって画定される第１の角度で枢動可能であり、前記第２のアイドラ支持組立体は、前記第２の枢動軸を中心にして、前記第２の固定された基部に対する前記第２のフレームによって画定される第２の角度で枢動可能であり、前記コンベヤベルトを前記湾曲部の周りで案内するために、前記第１の角度は前記第２の角度より大きい、請求項１０に記載のアイドラ支持システム。
【請求項１２】
前記第１のフレームの前記第２の端部は、第１の調整可能な支持体と選択的に連結され、前記第２のフレームの前記第２の端部は、第２の調整可能な支持体と選択的に連結され、前記第１の調整可能な支持体または前記第２の調整可能な支持体の調整によって、対応する前記第１の角度または前記第２の角度を変更する、請求項１１に記載のアイドラ支持システム。
【請求項１３】
前記第１の調整可能な支持体および前記第２の調整可能な支持体のそれぞれが、第３の基部に連結される支持部材を備え、それぞれの前記支持部材が複数の穴部を有し、前記第１の角度および前記第２の角度が、それぞれの前記支持部材の前記複数の穴部のうちの１つに対応する、請求項１２に記載のアイドラ支持システム。
【請求項１４】
前記第１の調整可能な支持体および前記第２の調整可能な支持体の、それぞれの前記支持部材は、対応する前記第３の基部に、枢動可能に連結される、請求項１３に記載のアイドラ支持システム。
【請求項１５】
前記第１のフレームは、前記複数の穴部のうちの１つを貫いて受容され、前記第１のフレームの前記第２の端部に係合する第１のピンによって、前記第１の調整可能な支持体の前記支持部材に連結され、前記第２のフレームは、前記複数の穴部のうちの１つを貫いて受容され、前記第２のフレームの前記第２の端部に係合する第２のピンによって、前記第２の調整可能な支持体の前記支持部材に連結される、請求項１３に記載のアイドラ支持システム。
【請求項１６】
前記第１のフレームの前記第１の端部、および前記第２のフレームの前記第１の端部はそれぞれ、操作者による前記第１のアイドラ支持組立体および前記第２のアイドラ支持組立体の輸送を可能にするよう構成される、第１のハンドルを備える、請求項１０に記載のアイドラ支持組立体。
【請求項１７】
前記第１のフレームの前記第２の端部、および前記第２のフレームの前記第２の端部はそれぞれ、前記操作者による前記第１のアイドラ支持組立体および前記第２のアイドラ支持組立体の輸送を可能にするよう構成される、第２のハンドルを備える、請求項１６に記載のアイドラ支持組立体。
【請求項１８】
前記第１のアイドラ支持組立体の前記第２の端部、および前記第２のアイドラ支持組立体の前記第２の端部は、前記湾曲部の内側に配置される、請求項１０に記載のアイドラ支持組立体。
【請求項１９】
コンベヤベルトを、湾曲部の周りで案内するように、上に前記コンベヤベルトを支持するよう構成されたアイドラ支持組立体を調整する方法であって、
フレームの第１の端部を、枢動軸を中心にして、固定された基部と枢動可能に連結し、前記固定された基部は、前記枢動軸を画定するステップと、
第１のローラ軸を中心に回転するよう構成された、第１のアイドラローラを前記フレームに支持するステップと、
第２のローラ軸を中心に回転するよう構成された、第２のアイドラローラを前記フレームに支持するステップであって、前記第１のローラ軸および前記第２のローラ軸は、互いに対してある傾斜角で配向されるステップと、
前記固定された基部に対する前記フレームの第２の端部の高さを調整し、前記フレームと前記固定された基部との間の角度を調整して、前記コンベヤベルトを前記湾曲部の周りに案内するステップと
を含む方法。
【請求項２０】
前記フレームの前記第２の端部の前記高さを調整するステップは、ピンによって、前記フレームの前記第２の端部を、調整可能な支持体の複数の穴部のうちの１つに選択的に連結するステップを含む、請求項１９に記載の方法。
【請求項２１】
前記フレームの前記第２の端部を、前記湾曲部の内側に配置するステップをさらに含む、請求項２０に記載の方法。
【請求項２２】
材料をある方向に移動させるように動作可能であり、幅を画定するコンベヤベルトを備える、アイドラ支持組立体であって、前記アイドラ支持組立体は、
第１の端部と第２の端部とを有し、前記コンベヤベルトの前記幅が、前記第１の端部と前記第２の端部との間にあるように、前記コンベヤベルトを支持するよう構成されるフレームと、
枢動軸を画定する第１の固定された基部であって、前記フレームの前記第１の端部が、前記枢動軸を中心にして、前記第１の固定された基部に枢動可能に連結される、第１の固定された基部と、
前記フレームの前記第２の端部と、複数の位置で選択的に連結される、調整可能な支持体であって、前記複数の位置のそれぞれが、前記フレームが前記第１の固定された基部に対して延在する角度を画定する、調整可能な支持体と
を備え、前記フレームは、前記調整可能な支持体の前記複数の位置のそれぞれで、前記コンベヤベルトを支持するよう構成される、アイドラ支持組立体。
【請求項２３】
前記枢動軸は、前記コンベヤベルトの前記移動方向とほぼ平行である、請求項２２に記載のアイドラ支持組立体。
【請求項２４】
前記第１の端部と前記第２の端部との間で前記フレームに連結され、前記コンベヤベルトを支持するために、ローラ軸を中心に回転するよう構成されるアイドラローラをさらに備える、請求項２２に記載のアイドラ支持組立体。
【国際調査報告】
2019520288.tif 000012